(57)【要約】【課題】従前の保護用に取り付けられているコネクタ保護用のキャップに、電磁的な工夫をして、電波漏洩や妨害電波の飛込みを防止する安価な同軸コネクタ保護用キャップを提供する。【解決手段】テレビ受信電波を伝送する受信システム用で壁面１からテレビ信号を取り出す機器１０の前記壁面１から室内に向け設置される同軸コネクタ１１に被蓋自在である。弾力性のある弾性部材４と同弾性部材４の表面の金属箔５が内部に装填され、被蓋側の前記金属箔５が開放されており、前記同軸コネクタ１１への被蓋状態で、壁面１から室内に向けて開放されている中心導体１２を備えた同軸コネクタ１１の端部Ｋが、金属箔５で電磁的に遮蔽される。【選択図】    図３
2019216050.tif 000002
【特許請求の範囲】
【請求項１】
テレビ受信電波を伝送する受信システム用で壁面からテレビ信号を取り出す機器の前記壁面から室内に向け設置される同軸コネクタに被蓋自在な保護キャップであって、
弾力性のある弾性部材と同弾性部材の表面の金属箔が内部に装填され、被蓋側の前記金属箔が開放されており、前記同軸コネクタへの被蓋状態で、壁面から室内に向けて開放されている中心導体を備えた同軸コネクタの端部が、前記金属箔で電磁的に遮蔽される構成であることを特徴とする同軸コネクタ保護キャップ。
【請求項２】
被蓋側が中空状に開放された開放部を有する筒状のキャップ本体部と、その奥に弾性部材と金属箔が埋め込まれた筒状の蓋部とより成り、前記筒状のキャップ本体部の内側面は、同軸コネクタの雄ネジ部に螺合する雌ネジ部が形成され、前記蓋部の外側面は、ローレット加工が施されていることを特徴とする、請求項１に記載した同軸コネクタ保護キャップ。
【請求項３】
被蓋側が中空状に開放された開放部を有する筒状の合成樹脂製キャップ本体部と、その奥に弾性部材と金属箔が埋め込まれた筒状の合成樹脂製蓋部とより成り、前記筒状のキャップ本体部には、同軸コネクタの雄ネジ部に装着しやすく且つ抜けにくくするためのスリットが複数形成されていると共に、その内部に前記同軸コネクタの雄ネジ部に食い込む凸部が複数形成されていることを特徴とする、請求項１に記載した同軸コネクタ保護キャップ。
【発明の詳細な説明】
【技術分野】
【０００１】
本発明は、同軸コネクタ保護キャップの技術分野に属し、さらに言えば、テレビ信号を伝送するテレビ受信システム用として壁面に取り付けられる機器の、電波漏洩を防止するための同軸コネクタに、付属的に被蓋して取り付ける保護キャップに関するものである。
【背景技術】
【０００２】
近年、所謂４Ｋ・８Ｋ放送が衛星放送で開始されることが発表され、各家庭やマンションにおけるテレビ共同受信システムでは、１０ＭＨｚから３２００ＭＨｚまでの信号を増幅して同軸ケーブルで伝送することが必要になってきた。７２０〜２６００ＭＨｚの間には、携帯電話や無線ＬＡＮ・ＷｉＭＡＸ・ＢＷＡ等の通信に使用している周波数帯があり、テレビ受信システムで伝送している４Ｋ・８Ｋ放送の信号が機器や同軸ケーブルから外部に漏れると、通信に使用している周波数と干渉することが予測されている。通信に使用されている通信機器の感度は大変高く、信号レベルは大変微弱なものまで使用されている。そのため、テレビ受信システムに要求される漏洩の許容限度は大変小さい値になってきた。よって、受信システムに使用される機器は信号を漏洩しない対策が必要になってきた。
【０００３】
また、従来のテレビ共同受信システムに使用されている壁面テレビ端子は、テレビに接続されていないものはコネクタの先端が開放状態であった。そのため、このコネクタから電波が漏洩するという問題があった。
さらに、２４５０ＭＨｚの帯域には電子レンジが使用している周波数があり、電子レンジと壁面テレビ端子が近いと、電子レンジから漏洩した電波がテレビ端子に飛び込み、４Ｋ・８Ｋの受信画像に妨害を与えるという問題がある。
しかし、従来この開放状態である壁面テレビ端子のコネクタに保護キャップが取り付けられていても、合成樹脂製でほこり等の侵入を防止するためのものであるため、電波遮蔽性能は全くなかった。
なお、ここで、一般的な家庭用テレビ受信システム例を図８に示すと共に、上述の４Ｋ・８Ｋ放送と各種無線の利用状況を図９に示す。
【０００４】
一方、壁面に取り付けられる機器の壁面から信号を取り出すコネクタには、通常テレビに接続される同軸ケーブルがついておりテレビが接続されている。しかし、テレビのない部屋に設置された壁面端子は何も接続されずそのままである。その壁面のコネクタには通常、合成樹脂製の保護キャップが取り付けられていることが多い。この保護キャップはこれまで信号をとり出す端子に傷がついたりほこりがついたりするのを防止するためのものであった。この何も接続されない壁面端子に、従来終端抵抗が内蔵されたダミー用コネクタを取り付けることは技術的に可能であったが単価が高く普及はしなかった。
また、テレビ接続ケーブルを接続しないときにコネクタの内部で自動的にダミー抵抗が接続される構造のコネクタが出願され特許になっている（例えば、特許第２９７８１４４号公報、特許第４０７４１４１号公報等）。しかし、このコネクタの先端は開放されているため、電波が漏洩したり、妨害となる電波が飛び込むという問題があった。
さらに、屋外機器の同軸ケーブルを接続しない端子に目くらキャップとして金属でできたキャップを装着するものはあったが、内部に防水用のパッキンがありきつく締め付けても、コネクタの先端を金属で完全に接触して被うことができず、ねじの隙間から電波が漏れるという問題もある。
【先行技術文献】
【特許文献】
【０００５】
【特許文献１】特許第２９７８１４４号公報
【特許文献２】特許第４０７４１４１号公報
【特許文献３】特開２００１−１６７８１１公報
【特許文献４】特開２００６−９２９９９公報
【発明の概要】
【発明が解決しようとする課題】
【０００６】
これに関し、特許文献３（特開２００１−１６７８１１公報）の同軸コネクタ保護カバーは、帯電を防止するものであり、特許文献４（特開２００６−９２９９９公報）の同軸コネクタ及びそれに用いるキャップは、汚染を防止するものである。共に電波の漏洩や飛び込みを防止するものではない。
しかるに、本発明は、上記課題に鑑みて案出されたものであり、その目的とするところは、従前の保護用に取り付けられているコネクタ保護用のキャップに、電磁的な工夫をして、電波漏洩や妨害電波の飛込みを防止する安価な同軸コネクタ保護用キャップを提供することにある。
【課題を解決するための手段】
【０００７】
上記の課題を解決するための手段として、請求項１に記載した発明は、テレビ受信電波を伝送する受信システム用で壁面１からテレビ信号を取り出す機器１０の前記壁面１から室内に向け設置される同軸コネクタ１１に被蓋自在な保護キャップであって、
弾力性のある弾性部材４と同弾性部材４の表面の金属箔５が内部に装填され、被蓋側の前記金属箔５が開放されており、前記同軸コネクタ１１への被蓋状態で、壁面１から室内に向けて開放されている中心導体１２を備えた同軸コネクタ１１の端部Ｋが、前記金属箔５で電磁的に遮蔽される構成であることを特徴とする同軸コネクタ保護キャップＡである。
【０００８】
請求項２に記載した発明は、前記被蓋側が中空状に開放された開放部２０を有する筒状のキャップ本体部２と、その奥に弾性部材４と金属箔５が埋め込まれた筒状の蓋部３とより成り、前記筒状のキャップ本体部２の内側面は、同軸コネクタ１１の雄ネジ部１３に螺合する雌ネジ部６が形成され、前記蓋部３の外側面は、ローレット加工７が施されていることを特徴とする、請求項１に記載した同軸コネクタ保護キャップＡである。
【０００９】
請求項３に記載した発明は、前記被蓋側が中空状に開放された開放部２０を有する筒状の合成樹脂製キャップ本体部２と、その奥に弾性部材４と金属箔５が埋め込まれた筒状の合成樹脂製蓋部３とより成り、前記筒状のキャップ本体部２には、同軸コネクタ１１の雄ネジ部１３に装着しやすく且つ抜けにくくするためのスリット８が複数形成されていると共に、その内部に前記同軸コネクタ１１の雄ネジ部１３に食い込む凸部９が複数形成されていることを特徴とする、請求項１に記載した同軸コネクタ保護キャップＢである。
【発明の効果】
【００１０】
本発明の同軸コネクタ保護キャップによれば、弾力性のある弾性部材と同弾性部材の表面の金属箔が内部に装填され、被蓋側の前記金属箔が開放されており、同軸コネクタへの被蓋状態で、壁面から室内に向けて開放されている中心導体を備えた同軸コネクタの端部が、金属箔で電磁的に遮蔽される構成であるため、当該保護キャップの製造コストの低廉化を図りつつ、電波漏洩や妨害電波の飛込みの防止が達成される。
【図面の簡単な説明】
【００１１】
【図１】第１実施例の同軸コネクタ保護キャップの使用例を示した斜視図である。
【図２】同第１実施例の同軸コネクタ保護キャップを示した断面説明図である。
【図３】同第１実施例の同軸コネクタ保護キャップの同軸コネクタへの被蓋状態を示した断面説明図である。
【図４】第２実施例の異なる同軸コネクタ保護キャップを示した断面説明図である。
【図５】同第２実施例の同軸コネクタ保護キャップの右側面図である。
【図６】同第２実施例の同軸コネクタ保護キャップの同軸コネクタへの被蓋状態を示した説明図である。
【図７】同第２実施例の同軸コネクタ保護キャップの同軸コネクタへの被蓋状態を部分拡大して示した断面説明図である。
【図８】一般的な家庭用テレビ受信システム例を示した説明図である
【図９】４Ｋ・８Ｋ放送と各種無線の利用状況を示した説明図である。
【発明を実施するための最良の形態】
【００１２】
本発明の同軸コネクタ保護キャップ（以下、単に「保護キャップ」ともいう。）の好適な実施形態を、図面にしたがって説明する。
＜第１実施例＞
【００１３】
図１〜図３示した本同軸コネクタ保護キャップＡの第１実施例について説明する。
この同軸コネクタ保護キャップＡは、図８に示したようなテレビ受信電波を伝送する受信システム用で壁面１からテレビ信号を取り出す機器１０（図１、図３）の、前記壁面１から室内に向け設置される同軸コネクタ１１に被蓋自在な保護キャップである。同図１、図３中、符号１５は化粧プレートを示している。また、前記受信システム用の一般例を示した図８において、符号１７は地上デジタルアンテナ、同１７´は衛星アンテナ、同１８はブースタ、同１９は分配器、同１６はテレビ端子をそれぞれ示している。
【００１４】
基本構造は、前記図２に示したように、同図右側の被蓋側の約半分が中空状に開放された開放部２０を有する筒状のキャップ本体部２と、その奥に弾性部材４と金属箔５が埋め込まれる筒状の蓋部３とより成っている。前記筒状のキャップ本体部２の内側面は、同軸コネクタ１１の外部導体１４の雄ネジ部１３に螺合する雌ネジ部６が形成され、前記キャップ本体部２の外側面は、図１に示したように、滑り止め用に細かい凹凸状のローレット加工７が施されている。
【００１５】
前記筒状の蓋部３の中に、弾力性のある弾性部材４と、同弾性部材４の表面の金属箔５が装填され、被蓋側の前記金属箔５は開放されている。よって、図３に示したように、前記同軸コネクタ１１への被蓋した状態で、壁面１から室内に向けて開放されている中心導体１２を備えた同軸コネクタ１１の端部Ｋが、前記金属箔５で電磁的に遮蔽される。
【００１６】
すなわち、この保護キャップＡは、壁面１から露出しているテレビ端子１６の同軸コネクタ１１の外部導体１４の雄ネジ部１３に螺合するものである。抵抗等の電子部品を一切使用していないため安価に製作することができる。保護キャップＡの奥部分は平らになっており、その部分に弾力性のある弾性部材として、例えばポリウレタン樹脂がまず装填されている。次に、その表面に導電性のある薄い金属箔５、例えばアルミ箔等を貼り付けた円形の部材を、当該アルミ箔５が開放部２０から見える方向に装着されている。
【００１７】
この保護キャップＡを、テレビ端子１６の同軸コネクタ１１に装着することにより、中心導体１２が開放されているテレビ端子１６の同軸コネクタ１１の外部導体１４の先端部にアルミ箔５が接触して密着し、中心導体１２を内部に備えた同軸コネクタ１１の端部Ｋが開放されているのを完全に防ぐ構造になっている。本実施例は、弾性部材４の上に薄い金属箔５があるため、同軸コネクタ１１の先端に僅かな凹凸があってもその形状になじみ、開放されている同軸コネクタ１１の端部Ｋを確実に被せることができる。そのため、中心導体１２の電波は漏洩しなくなる。また、大きな力で締め付ける必要もない。
【００１８】
より具体的には、図３に示したように、テレビ端子１６の同軸コネクタ１１の雄ネジ部１３に螺合するもので、円筒形の保護キャップＡの内部に、３／８−３２ＵＮＥＦネジが形成されている構造のものである。この保護キャップＡを形成する素材は、金属製でも合成樹脂製でも良い。円筒形の蓋部３には、ポリウレタン樹脂などでできた弾力性ある素材の弾性部材４に、アルミ箔５を接着して直径約９ｍｍの円形に形成されたものを、当該アルミ箔５がキャップ本体部２の開放部２０に現れるように装着されている。
【００１９】
この保護キャップＡを、テレビ端子１６の同軸コネクタ１１に装着すると、中心導体１２が開放されたテレビ端子１６の同軸コネクタ１１の外部導体１４に、弾性部材４でアルミ箔５が密着する。この保護キャップＡは内部の雌ネジ部６により同軸コネクタ１１に強固に取り付けられるという特長を有している。また、蓋部３の外側面（φ＝１８ｍｍ）の大きなつまみ部分に、回転させやすいようにローレツトなどの滑り止めを形成するローレット加工７を施せば、より同軸コネクタ１１に装着しやすくなる。
＜第２実施例＞
【００２０】
図４〜図７に示した同軸コネクタ保護キャップＢの第２実施例について説明する。
この同軸コネクタ保護キャップＢも、基本的には、上述した第１実施例の同軸コネクタ保護キャップＡと同様に、テレビ受信電波を伝送する受信システム用で壁面１からテレビ信号を取り出す機器１０の前記壁面１から室内に向け設置される同コネクタ１１に被蓋自在な保護キャップである（図１参照）。
そして、弾力性のある弾性部材４と、同弾性部材４の表面の金属箔５が内部に装填され、被蓋側の前記金属箔５が開放されており、前記同軸コネクタ１１への被蓋状態で、壁面１から室内に向けて開放されている中心導体１２を備えた同軸コネクタ１１の端部Ｋが、前記金属箔５で電磁的に遮蔽される構成である。
【００２１】
本実施例の同軸コネクタ保護キャップＢは、前記被蓋側が中空状に開放された開放部２０を有する筒状の合成樹脂製のキャップ本体部２と、その奥に弾性部材４と金属箔５が埋め込まれた筒状の合成樹脂製の蓋部３とより成る。前記合成樹脂製キャップ本体部２には、図４に示したように、同軸コネクタ１１の雄ネジ部１３に装着しやすく且つ抜けにくくするためのスリット８が複数形成されていると共に、その内部に同軸コネクタ１１の雄ネジ部１３に食い込む凸部９が複数形成されている（図５）。
【００２２】
すなわち、構造図を示した前記図４のように、この保護キャップＢは、キャップ本体部２及び蓋部３が合成樹脂でできているが、同軸コネクタ１１に嵌合するキャップ本体部２には、前記第１実施例と同じように、弾力性のある例えばポリウレタン樹脂４にアルミ箔５を貼り付けた円形の部材を、当該アルミ箔５が開放側から見える方向の開放部２０に装着されている。また、テレビ端子１６の同軸コネクタ１１の雄ネジ部１３に装着しやすく且つ抜けにくくするため、テレビ端子１６の同軸コネクタ１１に嵌合する円筒状のキャップ本体部２にはスリット８が２箇所設けられている。
加えて、合成樹脂製で弾力性を持たせたキャップ本体部２の内側には、図５と図４に示したように、テレビ端子１６の雄ネジ部１３の山に噛み合って食い込む凸部９が複数、例えば本実施例では６箇所設けられている。したがって、本保護キャップＢは、装着しやすい上に、抜けにくい構造となっている。
【００２３】
より具体的には、この同軸コネクタ保護キャップＢ全体が合成樹脂でできており、円筒状のキャップ本体部２は、テレビ端子１６の同軸コネクタ１１にプッシュオン式で結合するように、スリット８を形成した所謂すり割構造になっている。また、同キャップ本体部２の内部には、同軸コネクタ１１の雄ネジ部１３に噛み合ってなじみやすいように、山形の凸部９が複数形成されている。そのため、幅２．３ｍｍのすり割部（スリット８）が形成してあるところまで、プッシュオンで入り、それ以降は雄ネジ部１３と結合してねじる（回転する）ことによりしっかり螺合する仕組になっている。
【００２４】
蓋部３の内部には、φ＝９ｍｍで円盤状の厚さ６ｍｍの発泡ポリウレタンなどの弾性部材４とアルミ箔などでできた薄い金属箔５の板状体が開放部２０の先端から９ｍｍの位置に装填されている。この金属板状体（５）は薄い箔状態であるため、同軸コネクタ１１の端面にわずかな凹凸があってもその形状に合わせて変形をして、同軸コネクタ１１の開放された端部Ｋを完全に被覆することができる。
【００２５】
したがって、この保護キャップＢが、テレビ端子１６の同軸コネクタ１１に取り付けられたとき、弾性部材４に押されて同軸コネクタ１１の外部導体１４に密着する構造になっているため、中心導体１２の電波が漏洩したり、妨害電波が飛び込むことはない。また、保護キャップＢ自体が合成樹脂でできているため、同軸コネクタ１１の雄ネジ部１３になじんでおり、更に回転させることにより金属箔５は同軸コネクタ１１に強固に密着する。また、この保護キャップＢは合成樹脂製で実施されるため安価に製作できる。
【００２６】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００２７】
Ａ、Ｂ    同軸コネクタ保護キャップ
Ｋ        端部
１        壁面
１０      機器
１１      同軸コネクタ
１２      中心導体
１３      雄ネジ部
１４      外部導体
１５      化粧プレート
１６      テレビ端子
２        キャップ本体部
２０      開放部
３        蓋部
４        弾性部材（ポリウレタン樹脂）
５        金属箔（アルミ箔）
６        雌ネジ部
７        ローレット加工
８        スリット
９        凸部
【図１】
2019216050.tif 000003
【図２】
2019216050.tif 000004
【図３】
2019216050.tif 000005
【図４】
2019216050.tif 000006
【図５】
2019216050.tif 000007
【図６】
2019216050.tif 000008
【図７】
2019216050.tif 000009
【図８】
2019216050.tif 000010
【図９】
2019216050.tif 000011